(57)【要約】      （修正有）【課題】把持部が着脱可能でガタツキなく装着される操作性に優れた医療用照明装置を提供する。【解決手段】枠体１１と、枠体に保持された光源と、枠体の側部に着脱自在に装着される把手部２０とを備えた医療用照明装置であって、把手部と枠体との着脱自在な装着部の機構は、一方側に形成される雄型テーパ嵌合軸部１６と、他方側に形成され雄型テーパ嵌合軸部と同心的に嵌合される雌型テーパ嵌合筒部２３と、雄型テーパ嵌合軸部の基部に形成される雄ねじ部１７と、雌型テーパ嵌合筒部にその軸心回りに回転可能に外装され雄ねじ部に螺合される雌ねじ部材２５とを含み、雄型テーパ嵌合軸部の外周面及び雌型テーパ嵌合筒部２３の内周面に、同心的な相互の嵌合状態において、相対的な軸心回転を阻止し得る嵌め合い形状が周方向に規則的に形成され、雄ねじ部と雌ねじ部材との螺合は、雄型テーパ嵌合軸部及び雌型テーパ嵌合筒部が嵌合された状態でなし得る。【選択図】図４
2011156172.tif 000002
【特許請求の範囲】
【請求項１】
枠体と、前記枠体に保持された光源と、前記枠体の側部に着脱自在に装着される把手部とを備えた医療用照明装置であって、
前記把手部と枠体との着脱自在な装着部の機構は、一方側に形成される雄型テーパ嵌合軸部と、他方側に形成され前記雄型テーパ嵌合軸部と同心的に嵌合される雌型テーパ嵌合筒部と、前記雄型テーパ嵌合軸部の基部に形成される雄ねじ部と、前記雌型テーパ嵌合筒部にその軸心回りに回転可能に外装され前記雄ねじ部に螺合される雌ねじ部材とを含み、
前記雄型テーパ嵌合軸部の外周面及び雌型テーパ嵌合筒部の内周面には、前記同心的な相互の嵌合状態において、相対的な軸心回転を阻止し得る嵌め合い形状が周方向に規則的に形成され、
前記雄ねじ部と雌ねじ部材との螺合は、前記雄型テーパ嵌合軸部及び雌型テーパ嵌合筒部が嵌合された状態でなし得るよう構成されていることを特徴とする医療用照明装置。
【請求項２】
請求項１に記載の医療用照明装置において、
前記相対的な軸心回転を阻止し得る嵌め合い形状が、前記同心的な相互の嵌合の際に互いに噛み合う周方向に規則的な凹凸形状であることを特徴とする医療用照明装置。
【請求項３】
請求項１又は２に記載の医療用照明装置において、
前記雄型テーパ嵌合軸部のテーパ面の軸心に対するテーパ角度は、前記雌型テーパ嵌合筒部のテーパ面の軸心に対するテーパ角度よりやや大とされていることを特徴とする医療用照明装置。
【請求項４】
請求項１乃至３のいずれか１項に記載の医療用照明装置において、
前記雄型テーパ嵌合軸部には、その先側に同心的に延びる断面円形の延伸軸部が形成され、前記雌型テーパ嵌合筒部の基部には、前記延伸軸部を嵌受する円形内筒部が形成されていることを特徴とする医療用照明装置。
【請求項５】
請求項１乃至４のいずれか１項に記載の医療用照明装置において、
前記雌型テーパ嵌合筒部の基部と雌ねじ部材との間には、前記雌ねじ部材を前記雄ねじ部に螺合させる際に軸心方向に沿って弾性反力を伴って圧縮される弾性部材が介装されていることを特徴とする医療用照明装置。
【請求項６】
請求項１乃至５のいずれか１項に記載の医療用照明装置において、
前記雌ねじ部材の先側と、前記雄ねじ部の基部との間には、前記雌ねじ部材の螺合回転を阻止するストッパー手段が設けられていることを特徴とする医療用照明装置。
【請求項７】
請求項１乃至６のいずれか１項に記載の医療用照明装置において、
前記枠体及び把手部が、耐熱性及び耐薬品性材料によって形成されていることを特徴とする医療用照明装置。
【請求項８】
請求項１乃至７のいずれか１項に記載の医療用照明装置において、
前記枠体における光源の背部に、反射ミラーを更に備えていることを特徴とする医療用照明装置。
【請求項９】
請求項８に記載の医療用照明装置において、
前記反射ミラーと前記光源とが一体とされて照明モジュールとされ、前記照明モジュールが前記枠体に対して着脱自在に装着されていることを特徴とする医療用照明装置。
【発明の詳細な説明】
【技術分野】
【０００１】
本発明は、歯科用等の医療用照明装置のように、着脱可能な把手部を備えた医療用照明装置に関するものである。
【背景技術】
【０００２】
医療用照明装置、例えば、歯科用診療台の側部に設置され、診療台上の患者に向け照射される医療用照明装置としては、所謂無影灯が用いられる（特許文献１及び特許文献２参照）。このような医療用照明装置は、光源からの光を反射ミラーで反射させて患部に向け照射させるよう構成され、患部にできるだけ影ができないよう、反射ミラーからの反射光が患部に対して多方向から入射されるようになされている。また、照明装置本体の側部には、術者が把持して、患者の診療部位に的確に照射させるべく照明装置を位置調整するためや、待機位置に照明装置を移動させるための把手部が設けられている。この把手部は術者によって頻繁に把持されるので、手垢や薬品等で汚染され易く、その為、特許文献１及び特許文献２においては、把手部を滅菌消毒し得るように照明装置の本体に着脱可能に装着するようにしている。
【先行技術文献】
【特許文献】
【０００３】
【特許文献１】特開平７−２５５７４２号公報
【特許文献２】特開２００５−９３１３２号公報
【発明の概要】
【発明が解決しようとする課題】
【０００４】
特許文献１に開示された把手部（把手装置）は、ラッチ式の係合部を介して照明装置の本体に嵌合装着され、ばねの付勢弾力によって係合状態が維持されるように構成されている。そして、ばねの弾力に抗した力を作用させて前記係合状態を解除させることによって、把持部を照明装置の本体から取外すことが可能とされている。しかし、このようなラッチ式の係合部を介した装着構造の場合、係合部や嵌合部に加工公差（加工精度のばらつき）による隙間が生じることは不可避であり、これが原因で把手部にガタツキが生じ易くなる。このようなガタツキがあると、照明装置の操作時に違和感が生じ、操作性が悪くなる。特に、術者が意図する照明光の照射方向と実際の操作感とが合わず、診療作業の円滑性を損なう原因ともなる。また、長期的な使用に伴い、前記ガタツキによる衝撃で係合部や嵌合部に磨耗が発生し、ガタツキが更に助長され、これが係合部や嵌合部の破損に繋がり、把持部が脱落する事態に至ることもある。
【０００５】
また、特許文献２に開示された把手部（ハンドル）は、ハンドルソケット内に押さえバネの弾力に抗してカムを押込み、回転させることにより、ハンドルソケット内に形成されている係合突起に、装着手段に形成されている係合部が係合されるよう構成されている。これによってハンドルがしっかり固定され、意識的に操作しない限りハンドルが外れることがなく、構造上、装着時のハンドルとソケットとのガタツキがなく、照明装置の操作時における違和感は生じ難いものと考えられる。しかし、回転方向における部品の加工公差により、装着後のハンドルにガタツキが生じることは、やはり不可避である。また、特許文献１及び特許文献２における把持部は、いずれも、照明装置本体に対する装着角度が一定である為、術者個々の使い勝手に適合するような対応はできず、術者によっては操作性が悪く感じることもある。
【０００６】
本発明は、前記に鑑みなされたものであり、把持部が着脱可能で且つガタツキなく装着される操作性に優れた医療用照明装置を提供することを目的とする。
【課題を解決するための手段】
【０００７】
本発明に係る医療用照明装置は、枠体と、前記枠体に保持された光源と、前記枠体の側部に着脱自在に装着される把手部とを備えた医療用照明装置であって、前記把手部と枠体との着脱自在な装着部の機構は、一方側に形成される雄型テーパ嵌合軸部と、他方側に形成され前記雄型テーパ嵌合軸部と同心的に嵌合される雌型テーパ嵌合筒部と、前記雄型テーパ嵌合軸部の基部に形成される雄ねじ部と、前記雌型テーパ嵌合筒部にその軸心回りに回転可能に外装され前記雄ねじ部に螺合される雌ねじ部材とを含み、前記雄型テーパ嵌合軸部の外周面及び雌型テーパ嵌合筒部の内周面には、前記同心的な相互の嵌合状態において、相対的な軸心回転を阻止し得る嵌め合い形状が周方向に規則的に形成され、前記雄ねじ部と雌ねじ部材との螺合は、前記雄型テーパ嵌合軸部及び雌型テーパ嵌合筒部が嵌合された状態でなし得るよう構成されていることを特徴とする。
【０００８】
本発明の医療用照明装置において、前記相対的な軸心回転を阻止し得る嵌め合い形状を、前記同心的な相互の嵌合の際に互いに噛み合う周方向に規則的な凹凸形状としても良い。また、前記雄型テーパ嵌合軸部のテーパ面の軸心に対するテーパ角度は、前記雌型テーパ嵌合筒部のテーパ面の軸心に対するテーパ角度よりやや大とされていることが望ましい。更に、前記雄型テーパ嵌合軸部には、その先側に同心的に延びる断面円形の延伸軸部が形成され、前記雌型テーパ嵌合筒部の基部には、前記延伸軸部を嵌受する円形内筒部が形成されていることが望ましい。
【０００９】
本発明の医療用照明装置において、前記雌型テーパ嵌合筒部の基部と雌ねじ部材との間には、前記雌ねじ部材を前記雄ねじ部に螺合させる際に軸心方向に沿って弾性反力を伴って圧縮される弾性部材が介装されていることが望ましい。また、前記雌ねじ部材の先側と、前記雄ねじ部の基部との間には、前記雌ねじ部材の螺合回転を阻止するストッパー手段を設けるようにしても良い。そして、前記枠体及び把手部は、耐熱性及び耐薬品性材料によって形成されていることが望ましい。
【００１０】
本発明の医療用照明装置において、前記枠体における前記光源の背部に、反射ミラーを更に備えているものとすることができる。この場合、前記反射ミラーと前記光源とが一体とされて照明モジュールとされ、前記照明モジュールが、前記枠体に対して着脱自在に装着されているものとしても良い。
【発明の効果】
【００１１】
本発明に係る医療用照明装置によれば、前記把手部が枠体の側部に装着されているから、この把手部を把持して本照明装置を照明対象部位に向け任意に位置決めすることができる。また、把手部は前記枠体に対して着脱自在に装着されているから、汚染した場合には、把手部のみを取外して、その清浄化や滅菌消毒が簡易になし得る。そして、把手部と枠体とは、一方側に形成される雄型テーパ嵌合軸部と他方側に形成される雌型テーパ嵌合筒部とを同心的に嵌合し、その上で、雄型テーパ嵌合軸部の基部に形成される雄ねじ部に、雌型テーパ嵌合筒部にその軸心回りに回転可能に外装される雌ねじ部材を螺合させることによって結合される。従って、テーパ嵌合部同士の嵌合は、雄ねじ部と雌ねじ部材との螺合によって、軸心方向に沿った締結力に伴う両テーパ面のなす角度による分力が作用して、軸心方向及び径方向に強固に緊合した嵌合状態とされる。しかも、雄型テーパ嵌合軸部の外周面及び雌型テーパ嵌合筒部の内周面には、前記同心的な相互の嵌合状態において、相対的な軸心回転を阻止し得る嵌め合い形状が周方向に規則的に形成されているから、これらが総合して、把手部と枠体とは、相互に回転することなく、ガタツキのない安定した結合状態とされる。更に、両者の嵌め合い形状が周方向に規則的に形成されていることにより、枠体に対する把持部の前記軸心回りの角度（取付角度）をこの規則的な形状に合わせて任意に変えることができ、術者毎の使い勝手に応じた適合性が向上する。そして、前記雌ねじ部材を緩めて雄ねじ部との螺合を解き、前記テーパ嵌合部同士を軸心方向に沿って離間させて脱嵌すれば、把手部の枠体に対する取外しが簡易になし得る。
【００１２】
また、前記雄型テーパ嵌合軸部及び雌型テーパ嵌合筒部の同心的な相互の嵌合状態における前記相対的な軸心回転を阻止し得る嵌め合い形状を、この嵌合の際に互いに噛み合う周方向に規則的な凹凸形状とした場合、両者の凹凸部分が噛み合った状態で前記嵌合がなされるから、前記緊合した嵌合がより強固且つ安定した状態とされる。そして、前記雄型テーパ嵌合軸部のテーパ面の軸心に対するテーパ角度が、前記雌型テーパ嵌合筒部のテーパ面の軸心に対するテーパ角度よりやや大とされている場合、前記螺合締結力に伴う雄型テーパ嵌合部のテーパ面のなす角度による分力が、雌型テーパ嵌合筒部のテーパ面に対してより強く作用し、前記緊合した嵌合がより一層強固となる。更に、前記雄型テーパ嵌合軸部には、その先側に同心的に延びる断面円形の延伸軸部が形成され、前記雌型テーパ嵌合筒部の基部には、前記延伸軸部を嵌受する円形内筒部が形成されているものとした場合、前記テーパ嵌合部同士の嵌合状態に対して、当該延伸軸部と円形内筒部との嵌合状態が、その軸心方向に沿って更に付加されることになるから、一層安定した嵌合状態が得られ、前記ガタツキの発生抑止がより効果的になされる。
【００１３】
前記雌型テーパ嵌合筒部の基部と雌ねじ部材との間には、前記雌ねじ部材を前記雄ねじ部に螺合させる際に軸心方向に沿って弾性反力を伴って圧縮される弾性部材が介装されているものとした場合、雄型テーパ嵌合軸部、雌型テーパ嵌合筒部等に加工公差があっても、雌ねじ部材を雄ねじ部に螺合させる際に、この加工公差が前記弾性部材に吸収され、雌ねじ部材を所定の締結位置にまで螺合させることができ、枠体と把手部との外観上の統一された一体観が得られる。また、前記雌ねじ部材の先側と、前記雄ねじ部の基部との間には、前記雌ねじ部材の螺合回転を阻止するストッパー手段を設けるようにした場合、雌ねじ部材を前記所定の締結位置にまで確実に螺合締結させることができる。そして、前記枠体及び把手部が、耐熱性及び耐薬品性材料によって形成されているものとした場合、把手部を取外してオートクレーブ等で滅菌消毒することが可能であり、また、薬品が付着した手で把持部を操作することが多い医療用照明装置にあっては、把手部の劣化防止に有効でありその長寿命化が図られる。
【００１４】
前記枠体における光源の背部に、反射ミラーを更に備えているものとした場合、光源からの光が効率的に患部の照明光として用いられ、且つ無影灯としての機能も得られる。この場合、前記反射ミラーと前記光源とが一体とされて照明モジュールとされ、前記照明モジュールが、前記枠体に対して着脱自在に装着されているものとした場合、例えば、光源がハロゲンランプからなる照明モジュール、ＬＥＤからなる照明モジュール等を製品仕様として準備しておけば、需要者の種々のニーズにも的確に応えることができる。
【図面の簡単な説明】
【００１５】
【図１】本発明の一実施形態に係る医療用照明装置が用いられた歯科診療装置の全体構成を示す模式的斜視図である。
【図２】同医療用照明装置の一方の把手部を取外した状態を示す分解斜視図である。
【図３】同医療用照明装置の透光性カバーを取外した状態を示す分解斜視図である。
【図４】（ａ）（ｂ）は、同医療用照明装置において把手部を枠体に装着する際の初期段階を示す図であり、（ａ）は要部の底面図、（ｂ）は（ａ）におけるＡ−Ａ線矢視断面図である。
【図５】（ａ）（ｂ）は、同装着途中の段階を示す図であり、（ａ）は要部の底面図、（ｂ）は（ａ）におけるＢ−Ｂ線矢視断面図である。
【図６】（ａ）（ｂ）は、同装着が完了した状態を示す図であり、（ａ）は要部の底面図、（ｂ）は（ａ）におけるＣ−Ｃ線矢視断面図である。
【図７】図６（ｂ）におけるＤ部の拡大図である。
【図８】図７におけるＥ−Ｅ線矢視拡大断面図である。
【図９】（ａ）（ｂ）は、同医療用照明装置において把手部を取付ける際の雌ねじ部材の螺合過程を示す要部の斜視図であり、（ａ）は螺合完了直前の状態を、（ｂ）は螺合が完了した状態をそれぞれ示す。
【図１０】同医療用照明装置における把手部の装着状態の別態様を示す要部の斜視図である。
【図１１】図８に対応する部分の変形例を示す同様図である。
【図１２】同医療用照明装置において光源と反射ミラーとが照明モジュール化された例を示す分解斜視図である。
【図１３】同光源と反射ミラーとが照明モジュール化された例の別例を示す分解斜視図である。
【発明を実施するための形態】
【００１６】
以下、本発明の医療用照明装置の実施の形態について図面に基づき説明する。図１は、本発明に係る医療用照明装置が用いられた歯科診療装置の全体構成を示している。図に示す歯科診療装置１００は、昇降自在な座板１ａ、該座板１ａの一端に起伏自在に連結された背板１ｂ及び該背板１ｂの上端に設けられたヘッドレスト１ｃを備える歯科診療台１と、ドクター用インスツルメントホルダー２を備え前記歯科診療台１の一側部に移動自在に設置されたトレーテーブル３と、前記歯科診療台１の他側部に移動自在に設置されたアシスタント用インスツルメントホルダー４と、同他側部に設置されたうがい用スピットン装置５と、該スピットン装置５に立設されたポール６にハンガーアーム７を介して支持された歯科用（医療用）照明装置１０とを含んで構成されている。トレーテーブル３は、各種薬品、ピンセット等の治療器具の載置台であり、また、補綴材料（例えば、紫外線硬化樹脂）の調合等の作業台として用いられる。このトレーテーブル３の側部には、カルテの内容や患部の撮像画像等を映し出すモニターディスプレイ３ａや、操作パネル３ｂが付設されている。
【００１７】
前記ドクター用インスツルメントホルダー２には、主にドクターが使用するエアタービンハンドピース、マイクロモータハンドピース或いはスリーウェイシリンジ等の歯科用インスツルメント２ａが取出し自在に保持されている。前記アシスタント用インスツルメントホルダー４には、主にアシスタントが使用するバキュームシリンジ、サライバエジェクタ或いはスリーウェイシリンジ等の歯科用インスツルメント４ａが取出し自在に保持され、その上面にはアシスタント用の操作パネル４ｂが設けられている。トレーテーブル３及びアシスタント用インスツルメントホルダー４は、ドクター及びアシスタントが、診療姿勢に応じその都度使い易い位置に引寄せ移動し得るように構成されている。歯科診療台１の昇降或いは起伏操作、各種インスツルメント２ａ，４ａの駆動操作、モニターディスプレイ３ａのオン・オフ操作、或いは、スピットン装置５の給水オン・オフ操作等は、フートコントローラ８、前記操作パネル３ｂ，４ｂの足踏み或いは手操作によってなされる。
【００１８】
歯科用照明装置１０は、歯科診療台１上の患者の着座或いは仰臥姿勢に応じて患者の口腔内を照射し得るよう、ハンガーアーム７を介してその位置調整が可能に前記ポール６に支持されている。ハンガーアーム７は、多関節アームからなり、前記ポール６にその軸心回りに回動自在に支持された第１アーム７ａと、該第１アーム７ａの先端に水平旋回可能に支持された第２アーム７ｂと、該第２アーム７ｂの先端に水平旋回可能且つ上下揺動可能に支持された第３アーム７ｃと、該第３アーム７ｃの先端に左右首振可能に支持されたフォーク状先端アーム７ｄ（図３も参照）とより構成される。先端アーム７ｄの一対の自由端には、歯科用照明装置１０がヒンジピン７ｅ（図２、図３も参照）を介して上下首振可能に支持されている。図示のハンガーアーム７の構造は一例であって、その他の従来公知のハンガーアームの構造も採用可能である。
【００１９】
次に、歯科用照明装置１０の詳細構成について図２〜図１０も参照して説明する。図例の歯科用照明装置１０は、合成樹脂の成型体からなる枠体１１と、前記枠体１１に保持された光源１２と、前記枠体１１における照射側部に着脱自在に装着される透光性カバー１３とを備えている。ここで、照射側部とは本歯科用照明装置１０の前面側（照明光が出射される側）であり、ハンガーアーム７によって支持される側が照射側部の反対側部である。前記枠体１１は、方形の枠本体１１０と、該枠本体１１０の左右両側に、把持角度が可変とされる把手部２０、２０が後記する機構を介して着脱自在に装着されている。前記枠体１１の枠本体１１０における照射側部の反対側部には椀形の反射ミラー１１２を含むミラー枠部材１１１が設けられている。前記光源１２はハロゲンランプからなり、該ハロゲンランプ１２の前記照射側部は遮光用筐体１２ａで覆われている。該遮光用筐体１２ａの反射ミラー１１２側部分は開口しており、ハロゲンランプ１２による光は反射ミラー１１２で反射されて前記照射部側に指向され、透光性カバー１３を透して照射対象に照射されるよう構成されている。反射ミラー１１２による反射光は、種々の角度で照射部側に指向され、これによって無影灯の機能を奏するよう構成されている。遮光用筐体１２ａは、手操作可能なビス１２ｂによって、枠体１１の所定位置に着脱自在に取付けられている。ハロゲンランプ１２の交換等は、透光性カバー１３を取外し、ビス１２ｂを緩めて遮光用筐体１２ａを取外した上でなされる。前記ミラー枠部材１１１におけるハロゲンランプ１２の設置位置に対応する部位の天板部分には、放熱用の格子状通気部１１３が形成されている。
【００２０】
透光性カバー１３はアクリル樹脂等の透光性合成樹脂の成型体からなり、前面側に緩やかに凸曲する略方形のカバー本体部１３ａと、該カバー本体部１３ａの周縁部に連成されて前記枠本体１１０の内周部分に嵌装される差込部１３ｂとが一体に形成されている。カバー本体部１３ａの表面には、メトキシ桂皮酸オクチル、ブチルベンゾイルメタン等からなる紫外線吸収素材がコーティングされている。透光性カバー１３は、２つのロック機構１４，１５によって、前記枠体１１に着脱可能に装着され、上辺部側の前記差込部１３ｂには、第１のロック機構１４を構成する被掛止用の方形透孔１４ａが開設されている。また、下辺部側差込部１３ｂには、第２のロック機構１５を構成する一対の鉤型係止部片１５ａ，１５ａが下向きに形成されている。一方、枠本体１１０の上辺部における前記方形透孔１４ａに対応する位置には、第１のロック機構１４を構成する回動爪部材１４ｂが取付けられている。また、枠本体１１０の下辺部側における前記鉤型係止部片１５ａ，１５ａに対応する位置には、第２のロック機構１５を構成する一対の鉤型係止部片１５ｂ，１５ｂが上向きに形成されている。透光性カバー１３が枠体１１に装着された状態では、第１のロック機構１４における回動爪部材１４ｂの爪片が方形透孔１４ａに挿入掛止された状態で維持され、また、前記第２のロック機構１５を構成する鉤型係止部片１５ａ，１５ｂが互いに行き違うような係止関係とされ、透光性カバー１３の下辺部側が枠体１１から外れないように保持されている。透光性カバー１３を枠体１１から取外す際は、前記回動爪部材１４ｂを手操作により操作し、方形透孔１４ａから爪片を離脱させ、透光性カバー１３を持上げて前記鉤型係止部片１５ａ，１５ｂの係止関係を解除することによってなされる。
【００２１】
図４〜図８は、把手部２０の枠体１１に対する着脱自在な装着構造の詳細を示している。図において、前記枠体１１における上辺部側枠本体１１０の両端部には、互いに反方向に突出し且つ漸次縮径する一対の雄型テーパ嵌合軸部１６が互いに同心的に形成されている。上辺部側枠本体１１０の両端部の断面形状は角部が面取りされた正方形とされ、雄型テーパ嵌合軸部１６は、その軸心が当該枠本体１１０の正方形端部の中心（対角線の交差部）に整合するよう形成されている。この雄型テーパ嵌合軸部１６の基部には雄ねじ部１７が形成されている。雄型テーパ嵌合軸部１６は、合成樹脂の成型体からなり、金属製の軸部材１８と同心的に一体成型され、前記上辺部側枠本体１１０の両端部に固着一体とされている。該軸部材１８の一部は、雄型テーパ嵌合軸部１６の先側より突出するよう延びて、この突出部分が断面円形の延伸軸部１８ａとされている。雄型テーパ嵌合軸部１６は、その外周面（テーパ面）に周方向に規則的に繰返す凹条部１６ａ，凸条部１６ｂからなる凹凸形状部を備えている。この凹条部１６ａ，凸条部１６ｂは、雄型テーパ嵌合軸部１６の外周面にその基部側から先側に向けて延び、図８に示すように、いずれもその周方向に４５°のピッチで計８条ずつ形成されている。
【００２２】
把手部２０は、角筒状の把持柄部２０ａとこの一端に直角に連成された角筒状の取付基部２０ｂとを含み、把持柄部２０ａと取付基部２０ｂとは耐熱性及び耐薬品性に優れた合成樹脂の成型により一体に形成されている。耐熱性及び耐薬品性に優れた合成樹脂としては、ポリフェニレンサルファイド（ＰＰＳ）等が望ましく採用される。取付基部２０ｂの断面形状は、上辺部側枠本体１１０の両端部の断面形状と同じとされている。取付基部２０ｂには、ビス２１によって固着された合成樹脂の成型体からなる筒状ブロック体２２が同心的に内装されている。該筒状ブロック体２２の先側部（把持柄部２０ａとは反対側部）は、雌型テーパ嵌合筒部２３とされ、該雌型テーパ嵌合筒部２３の基部には該雌型テーパ嵌合筒部２３と同心の円形内筒部２４が連成されている。該円形内筒部２４の内径は、前記延伸軸部１８ａの外径と同じ若しくはやや大とされ、前記延伸軸部１８ａを同心的に嵌受し得るよう構成されている。雌型テーパ嵌合筒部２３は、先側が前記取付基部２０ｂの先側開口部より突出するよう形成され、内周面は先側から把持柄部２０ａ側に向け漸次縮径するテーパ面とされている。該雌型テーパ嵌合筒部２３の内周面（テーパ面）には、周方向に規則的に繰返す凹条部２３ａ，凸条部２３ｂからなる凹凸形状部が形成されている。この凹条部２３ａ，凸条部２３ｂは、雌型テーパ嵌合筒部２３の先側からその基部側に向けて延び、図８に示すように、いずれもその周方向に４５°のピッチで計８条ずつ形成されている。そして、後記する該雌型テーパ嵌合筒部２３と前記雄型テーパ嵌合軸部１６との同心的嵌合状態では、雌型テーパ嵌合筒部２３の凹凸形状部（凹条部２３ａ，凸条部２３ｂ）と、雄型テーパ嵌合軸部１６の凹凸形状部（凹条部１６ａ，凸条部１６ｂ）とが噛み合うような嵌め合い関係となるよう構成されている。即ち、図８に示すように、雌型テーパ嵌合筒部２３の凹条部２３ａと雄型テーパ嵌合軸部１６の凸条部１６ｂとが噛み合い、雌型テーパ嵌合筒部２３の凸条部２３ｂと雄型テーパ嵌合軸部１６の凹条部１６ａとが噛み合うような嵌め合い関係とされる。
【００２３】
雌型テーパ嵌合筒部２３には、角部が面取りされた断面正方形の外形状をなす袋ナット（雌ねじ部材）２５がその軸心回りに回転可能且つ軸心方向にスライド可能に外装されている。この袋ナット２５の外形状は、前記枠本体１１０の端部と同形・同寸とされている。図７に示すように、この袋ナット２５の内周面に前記雄ねじ部１７に螺合し得る雌ねじ部２５ａが形成されている。前記雌型テーパ嵌合筒部２３の先側には、外向鍔部２３ｃが形成され、また袋ナット２５の基部側には外向鍔部２３ｃの外径より内径が小さな内向鍔部２５ｂが形成されている。このような外向鍔部２３ｃの外径と内向鍔部２５ｂの内径との大小関係によって、袋ナット２５が雌型テーパ嵌合筒部２３より抜け出さないよう外装される。そして、外向鍔部２３ｃと内向鍔部２５ｂとの間に、Ｏリング（弾性部材）２６が介装されている。図７に示すように、雄型テーパ嵌合軸部１６のテーパ面の軸心Ｌに対するテーパ角度αは、雌型テーパ嵌合筒部２３のテーパ面の軸心Ｌに対するテーパ角度βよりやや大とされている。具体的には、α＝１０°、β＝８°程度に設定される。図７は、雄型テーパ嵌合軸部１６及び雌型テーパ嵌合筒部２３は同心的に嵌合された状態を示しており、従って、両者の軸心を共通する軸心Ｌとし示している。
【００２４】
図４乃至図６は、前記のように構成された装着構造に基づき、把手部２０を枠体１１に装着する過程を示している。図４（ａ）（ｂ）は、把手部２０を枠体１１に装着する際の初期段階を示しており、図２に示す状態から、把手部２０を枠体１１に対し上辺部側枠本体１１０の長手方向に沿って押し込み、これによって、前記延伸軸部１８ａが、雌型テーパ嵌合筒部２３内に挿入され、その先端が円形内筒部２４に至ろうとする状態となっている。この状態から、把手部２０を更に押し込んでゆくと、図５（ａ）（ｂ）に示すように、延伸軸部１８ａが前記円形内筒部２４に嵌入されると共に、雄型テーパ嵌合軸部１６及び雌型テーパ嵌合筒部２３が嵌合状態となる。この時、前述の通り、雌型テーパ嵌合筒部２３の凹凸形状部（凹条部２３ａ，凸条部２３ｂ）と、雄型テーパ嵌合軸部１６の凹凸形状部（凹条部１６ａ，凸条部１６ｂ）とが噛み合うような嵌め合い関係となる。また、前記袋ナット２５の雌ねじ部２５ａが雄ねじ部１７との螺合開始位置近傍にまで達する。
【００２５】
そして、この状態から、把手部２０を更に押し込みながら雌ねじ部材２５を捻回操作すると、図６（ａ）（ｂ）及び図７に示すように、袋ナット２５の雌ねじ部２５ａが雄ねじ部１７に螺合され、この螺合による前記軸心Ｌ方向に沿った締結力によって、前記雄型テーパ嵌合軸部１６及び雌型テーパ嵌合筒部２３の嵌合状態が緊合化される。特に、雄型テーパ嵌合軸部１６の前記テーパ角度αが、雌型テーパ嵌合筒部２３のテーパ角度βよりやや大とされているから、前記締結力の分力が両者のテーパ面間で強く作用して、雄型テーパ嵌合軸部１６が雌型テーパ嵌合筒部２３を押し広げるようにして嵌合される。これによって、雄型テーパ嵌合軸部１６及び雌型テーパ嵌合筒部２３が、軸心Ｌ方向及び径方向により強固に緊合した嵌合状態とされ、袋ナット２５の雄ねじ部１７に対する螺合によってこの嵌合状態が維持される。従って、枠体１１に対する把手部２０の装着状態が、ガタツキがなく極めて安定したものとされる。また、袋ナット２５の捻回操作による螺進作用に伴い、前記外向鍔部２３ｃと内向鍔部２５ｂとの間に介装されたＯリング２６が圧縮され（図７の２点鎖線は圧縮前の状態を示す）、この圧縮による反力が作用して前記ガタツキのない装着状態がより確実に維持されると共に、雄型テーパ嵌合軸部１６及び雌型テーパ嵌合筒部２３の嵌合部等に加工公差があっても、Ｏリング２６の弾力によってこの加工公差が吸収され、前記安定した装着状態が所期通りに発現される。更に、延伸軸部１８ａが前記円形内筒部２４の奥深くまで嵌入された状態とされるから、軸心Ｌ方向に沿った広い範囲に亘る嵌合部が確保され、これによって一層安定した嵌合状態が得られる。加えて、雌型テーパ嵌合筒部２３の凹凸形状部（凹条部２３ａ，凸条部２３ｂ）と、雄型テーパ嵌合軸部１６の凹凸形状部（凹条部１６ａ，凸条部１６ｂ）とが噛み合うような嵌め合い関係となってこれが維持されるから、把手部２０に対して前記軸心Ｌ回りの強い外力が付加されても、把手部２０がこれによって軸心Ｌ回りに回転することがない。
【００２６】
図９（ａ）は前記袋ナット２５の螺合完了直前の状態を、（ｂ）は螺合が完了した状態をそれぞれ示す。袋ナット２５の枠本体１１０側端面には、衝当突子２５ｃが形成され、一方、枠本体１１０の把手部２０側端面には、ストッパー突起１１０ａが形成され、これによってストッパー手段２７が構成されている。袋ナット２５の捻回操作に伴う螺進よって、図９（ａ）に示すように、袋ナット２５が枠本体１１０の端面に接近する。更に捻回操作を進めると、図９（ｂ）に示すように、前記衝当突子２５ｃが回転方向より前記ストッパー突起１１０ａに衝当し、袋ナット２５のそれ以上の捻回操作が不可とされ、袋ナット２５の螺合が完了する。この状態では、袋ナット２５と枠本体１１０の端部との外形状的整合がなされ、外観状の違和感は生じない。しかも、前記Ｏリング２６が、前記外向鍔部２３ｃと内向鍔部２５ｂとの間に介装されていることにより、前記嵌合部等の加工公差があってもこれがＯリングで吸収され、袋ナット２５をこのストッパー手段２７によって規制される位置まで確実に螺合させることができる。
【００２７】
図１０は、把手部２０の装着状態の別態様を示す。前述の通り、雄型テーパ嵌合軸部１６と雌型テーパ嵌合筒部２３とは、前記凹凸形状部（凹条部２３ａ，凸条部２３ｂ）と、雄型テーパ嵌合軸部１６の凹凸形状部（凹条部１６ａ，凸条部１６ｂ）とが噛み合うような嵌め合い関係となるから、この嵌め合い位置を前記軸心Ｌ回りに適宜変えることにより、把手部２０の枠体１１に対する装着角度を任意に設定することができる。この実施形態では、前記凹凸形状部が４５°のピッチで形成されているから、把手部２０の前記軸心Ｌ回りの角度を４５°ずつ変えることができる。図１０は、図２に示す状態から、把手部２０を４５°傾けた状態を示しており、術者毎の使い勝手に応じた適合性が向上する。尚、前記凹凸形状部のピッチは、４５°に限らず、３０°、６０°或いは７２°等、操作性を勘案した設計的事項として適宜変更が可能である。
【００２８】
そして、前記袋ナット２５を緩めて雄ねじ部１７との螺合を解き、前記テーパ嵌合部１６，２３同士を軸心Ｌ方向に沿って離間させて脱嵌すれば、把手部２０の枠体１１に対する取外しが簡易になし得る。従って、把手部２０が手垢や薬品等で汚染されている場合には、その清浄化及びオートクレーブ等による滅菌消毒を簡易に行うことができる。特に、把持部２０の把持柄部２０ａ及び取付基部２０ｂは、耐熱性合成樹脂の成型体からなるから、オートクレーブ等による滅菌消毒が可能となる。また、把持柄部２０ａ及び取付基部２０ｂは耐薬品性にも優れた合成樹脂の成型体からなるから、薬品の付着による劣化がなく、その長寿命化が図られる。
【００２９】
図１１は、図８に相当する部分の変形例を示す。即ち、この例では、前記雄型テーパ嵌合軸部１６及び雌型テーパ嵌合筒部２３の同心的な相互の嵌合状態における前記相対的な軸心回転を阻止し得る嵌め合い形状が、正多角形とされている。図例では、雄型テーパ嵌合軸部１６の外周部の断面形状、及び雌型テーパ嵌合筒部２３の内周部の断面形状が、いずれも正８角形であることを示している。従って、この例においても、雄型テーパ嵌合軸部１６及び雌型テーパ嵌合筒部２３の嵌合状態においては、相互の軸心回転が阻止されてガタツキのない嵌合状態が維持されると共に、枠体１１に対して前記軸心Ｌ回りに４５°ずつ角度を変えて把手部２０を装着させることができる。ここでの正多角形は、正５角形、正６角形或いは正１２角形等が設計的事項として適宜採択される。
【００３０】
図１２及び図１３は、光源と反射ミラーとが照明モジュール化された例を示す。前者は光源がハロゲンランプからなる例を、後者は光源がＬＥＤからなる例を示している。図１２に示す例は、図３に示す例と同様の反射ミラー２０２と、光源としてのハロゲンランプ１２及び遮光用筐体１２ａとをモジュール本体２０１に一体として照明モジュール２００としたものである。反射ミラー２０２は、モジュール本体２０１の椀形凹曲形状部の内面に設けられ、また、ハロゲンランプ１２及び遮光用筐体１２ａはモジュール本体２０１の所定位置に着脱自在に設置されている。モジュール本体２０１は、ビス２０３…によって、前記実施例と同様形状の枠体１１の背面部に取付固定される。これによって、光源としてのハロゲンランプ１２が枠体１１に保持された状態とされる。この取付固定の際、ハロゲンランプ１２の基板に設けられた受電端子（いずれも不図示）が、枠体１１に設けられた給電端子１１ａに電気的に接合され、ハロゲンランプ１２に対する給電が可能とされる。給電端子１１ａには、前記ハンガーアーム７を介して電源（不図示）に接続された給電用ケーブル（不図示）が配線されている。モジュール本体２０１におけるハロゲンランプ１２の設置位置に対応する部位の天板部分には、放熱用の格子状通気部２０４が形成されている。このように照明モジュール２００を枠体１１に取付固定して構成される歯科用照明装置１０Ａにおいて、ハロゲンランプ１２が点灯されると、ハロゲンランプ１２からの光は前記反射ミラー２０２によって反射されて、前記と同様に照射側に指向され、透光性カバー１３を透して治療対象部位（患部）に照射される。
【００３１】
図１３に示す例は、一面が開放する方形箱形のモジュール本体３０１の内底面を反射ミラー３０２とし、この内底面に複数のＬＥＤを配列した光源としてのＬＥＤアレイ３０３を４個設置して照明モジュール３００としたものである。モジュール本体３０１は、ビス３０４…によって、前記実施例と同様形状の枠体１１の背面部に取付固定される。これによって、光源としてのＬＥＤアレイ３０３が枠体１１に保持された状態とされる。この取付固定の際、ＬＥＤアレイ３０３の基板に設けられた受電端子（いずれも不図示）が、枠体１１に設けられた給電端子１１ａに電気的に接合され、ＬＥＤアレイ３０３に対する給電が可能とされる。給電端子１１ａには、前記ハンガーアーム７を介して電源（不図示）に接続された給電用ケーブル（不図示）が配線されている。モジュール本体３０１におけるＬＥＤアレイ３０３の設置位置に対応する部位の背面部分には、放熱用の格子状通気部３０５が形成されている。このように照明モジュール３００を枠体１１に取付固定して構成される歯科用照明装置１０Ｂにおいて、ＬＥＤアレイ３０３の各ＬＥＤが点灯されると、ＬＥＤからの光は前記反射ミラー３０２によって反射されて、前記と同様に照射側に指向され、透光性カバー１３を透して治療対象部位（患部）に照射される。ＬＥＤは、小型でありながら出力が大きく、また寿命も長いので、特に、歯科用の照明装置として好ましく採用される。また、個々のＬＥＤの向きを変化させ、これと反射ミラーとを組合せることにより、無影灯としての照射パターンの設計自由度が高くなり、実益が大である。
【００３２】
尚、前記の実施形態では、歯科用照明装置を例に採って説明したが、本発明はその他の医療用照明装置としても広く適用されるものである。また、把持部２０が角筒状のものである例を示したが、円筒状のものであっても良い。更に、枠体１１、透光性カバー１３及びその付随部分の形状等は例示のものに限定されず、その他の形状であっても良い。加えて、弾性部材２５がOリングである例を示したが、皿ばねやウエーブワッシャ等でも良い。
【符号の説明】
【００３３】
１０，１０Ａ，１０Ｂ          歯科用（医療用）照明装置
１１                          枠体
１１２                        反射ミラー
１２                          ハロゲンランプ（光源）
１６                          雄型テーパ嵌合軸部
１６ａ，１６ｂ                凹凸形状部（凹条、凸条）
１７                          雄ねじ部
１８ａ                        延伸軸部
２０                          把持部
２３                          雌型テーパ嵌合筒部
２４                          円形内筒部
２５                          袋ナット（雌ねじ部材）
２６                          Oリング（弾性部材）
２７                          ストッパー手段
２００，３００                照明モジュール
２０２，３０２                反射ミラー
３０３                        ＬＥＤアレイ（光源）
Ｌ                            軸心
α、β                        テーパ角度
【図１】
2011156172.tif 000003
【図２】
2011156172.tif 000004
【図３】
2011156172.tif 000005
【図４】
2011156172.tif 000006
【図５】
2011156172.tif 000007
【図６】
2011156172.tif 000008
【図７】
2011156172.tif 000009
【図８】
2011156172.tif 000010
【図９】
2011156172.tif 000011
【図１０】
2011156172.tif 000012
【図１１】
2011156172.tif 000013
【図１２】
2011156172.tif 000014
【図１３】
2011156172.tif 000015